(57)【要約】【課題】製造履歴をコンピュータを使って識別することが出来るコンクリート供試体の構造と識別機構に係るものである。【解決方法】生コン供試材としての必要事項を記憶させるメモリー機能と該事項の送受信制御機能を備えたＩＣチップと該チップに電気的に接続されたアンテナ機能とコイル機能を備えたＩＣダグをコンクリート供試体に埋入した構造からなることを特徴とする。【選択図】図１
2005010128.tif 000002
【特許請求の範囲】
【請求項１】
生コン供試材としての必要事項を記憶させるメモリー機能と該事項の送受信制御機能を備えたＩＣチップと該チップに電気的に接続されたアンテナ機能とコイル機能を備えたＩＣダグをコンクリート供試体に埋入した構造からなることを特徴とするコンクリート供試体。
【請求項２】
上記アンテナ機能とコイル機能を兼用させた構造からなることを特徴とする請求項１に記載のコンクリート供試体。
【請求項３】
上記カードのデータ読取り器のアンテナから発した電波で上記カードのコイル機能に電力を誘起させ、該電力で該カードに埋めこんだＩＣチップの送受信制御機能を作動させて、該チップに記憶させた該供試体の経歴データを該カードのアンテナ機能から該読取り器のアンテナに送信して該供試体の経歴を識別することを特徴とするコンクリート供試体の経歴の識別機構。
【発明の詳細な説明】
【０００１】
【発明の属する技術分野】
本発明は、コンクリート供試体の構造とその経歴の識別機構に係るものである。
【０００２】
【従来の技術】
日本工業規格（ＪＩＳ）によると、建築工事用のコンクリートは工事の種類に応じた必要な強度を保つため、▲１▼圧縮強度▲２▼硬さ▲３▼空気の量、この三つの試験に合格しなければならない。
このうち、硬さと空気の量については、生コンの状態で計測するため問題はない。しかし、圧縮強度は生コンを供試体の型につめてから一週間後と四間後にそれぞれ行うので、途中で別の供試体とスリ替わる可能性がある。これは、生コンに文字を書き入れることができないため、採取した生コンと試験時の供試体とが同じものであることを証明する手段がなかったことも原因である。このため、現実には実際のコンクリートの強度にかかわりなく、ほとんどが強度試験に合格するという自体が生じている。つまり供試体のすり替えが日常茶飯事で行われているということである。
特公昭６４−２２１１号の発明は、このような現状を改善すべく、生まれたものである。即ち、この発明は、必要事項を記入した表示板をビニールケースに入れ、このビニールケースを供試体作成用型枠内に挿入して、上部から生コンクリートを詰めて、ビニールケースがコンクリートから剥落しないように一体化したものであるが、ビニールケースの中の表示板を故意に差し替えることが出来る欠点があり、すり替えが全く不可能な構造ではない。
【０００３】
【発明が解決しようとする課題】
本発明はかかる問題点に鑑みてなされたもので、すり替えが全く不可能な新しい構造のコンクリート強度供試体とその供試体の製造時からの経歴を非破壊、非接触で識別出来る新規な機構を提供せんとするものである。
【０００４】
【課題を解決するための手段】
本発明者らは上記課題に関して鋭意研究を行った結果、コンクリート供試体の中にＩＣタグを埋入して、このタグに生コン供試材としての必要事項を記憶させると、供試体そのもののすり替えが全く不可能であり、非破壊、非接触で識別できることを発見した。
本発明は上記知見に基づいてなされたもので下記（１）〜（３）の構成からなる。即ち、
（１）生コン供試材としての必要事項を記憶させるメモリー機能と該事項の送受信制御機能を備えたＩＣチップと該チップに電気的に接続されたアンテナ機能とコイル機能を備えたＩＣダグをコンクリート供試体に埋入した構造からなることを特徴とするコンクリート供試体。
（２）上記アンテナ機能とコイル機能を兼用させた構造からなることを特徴とする上記（１）に記載のコンクリート供試体。
（３）上記カードのデータ読取り器のアンテナから発した電波で上記カードのコイル機能に電力を誘起させ、該電力で該カードに埋めこんだＩＣチップの送受信制御機能を作動させて、該チップに記憶させた該供試体の経歴データを該カードのアンテナ機能から該読取り器のアンテナに送信して該供試体の経歴を識別することを特徴とするコンクリート供試体の経歴の識別機構。
【０００５】
【発明の実施の形態】
本発明のＩＣタグとは、通常一般的に使用されているメモリー機能と送受信制御機能を備えたＩＣチップと、このチップに電気的に接続されたアンテナ機能、コイル機能等を備えた全ての構造のものを包含するものである。アンテナ機能、コイル機能は別々でも良いし、兼用型でも良い。形状は、カード形状、コイン形状、カプセル型等々、形状に何ら限定されるものではないが、生コンの中に埋入するので、少なくとも防水性が必要である。ＩＣチップとアンテナ機能、コイル機能は防水性のある材料で表面を覆われている必要がある。プラスチックのカードに埋め込まれた構造とか、ガラスカプセル等に封入された構造とかの防水性構造である必要がある。
【０００６】
ＩＤ用メモリーと通信に必要な送受信制御回路は１チップにすべて収められたものが好ましいが、必要に応じて別々のチップで形成しても良い。
【０００７】
生コンの詰込年月日、試験年月日、発注者指定の強度、スランプ、工事名、立会人の名前等の生コン供試材としての必要事項はＩＣタグに記憶させてコンクリートの中に埋入する。
必要事項の記入は埋め込み前、あるいは埋め込み後、いずれでも良い。本発明では、タグに一旦記入した後は書き直しの必要はないのでタグの中のチップは読み取り専用でよい。
【０００８】
生コンの中に埋入されて、生コンが固化して一定期間経過後、供試材は強度試験に供される。このとき供試材の氏素性が問われることとなる。
強度試験に当たって、供試体の外からダグの読取り器でチップに記載した事項を読み取り識別することとなる。
【０００９】
ＩＣタグは供試材の中に埋入されているので、読取り器を供試材のコンクリートに直接密着させたとしても、タグそのものに読取り器を直接密着させることは出来ないので、タグの内容は非接触で読み取ることとなる。従って本発明のＩＣタグは電波を用いて非接触でデータキャリヤを認識する個体認識技術ＲＦＩＤ技術の範疇に属するものであり、このＲＦＩＤ技術を使用した全てのＩＣタグは本発明に適用することが出来る。
【００１０】
データの伝送方式は、電波を使用するＲＦＩＤの全ての方式を適用できる。即ち、
（１）  静電気の誘導作用を利用した静電結合方式、
（２）  密に結合した電磁誘導の相互誘導作用を利用した電磁結合
（３）  電磁誘導作用を利用した電磁誘導方式、
（４）  マイクロ波帯の電波を利用したマイクロ波方式
本発明はこれら全ての方式を採用できる。
【００１１】
コンクリート供試体にＩＣタグを埋入する位置は、供試体の上面、下面、あるいは側面いずれの位置でも良いが、埋入したタグは、コンクリートの中では一種の空洞のような作用をするので、コンクリートの破壊テスト時に、測定強度を悪影響を与える位置は好ましくない。カード型ＩＣタグのような平板状のものでは、図１に示した供試材の側面、底面近傍で、表面に平行の位置に埋入すると良い。なお、最近は米粒のような微細なＩＣタグも発売されており、これらの微小タグでは、どの位置に埋入しても良い。
【００１２】
供試体の識別機構について図面で説明する。
図２は識別機構の説明図である。
供試体の生コン詰込年月日、試験年月日、発注者指定の強度、スランプ、工事名および立会人（工事の現場監督者）の名前等の必要事項を記憶させるメモリー機能と、送受信の制御機能を備えたＩＣチップとアンテナ兼用のコイルを内蔵したＩＣタグは、カード型、コイン型、カプセル型、あるいは米粒のような微小粒形状をしており、表面は防水加工されている。
【００１３】
供試体の型枠に指定どおりの強度、スランプの生コンを詰め込んで生コンを充填するときに、このＩＣタグも一緒に埋め込み型内で固化させる。供試体の生コン詰込年月日、試験年月日、発注者指定の強度、スランプ、工事名および立会人（工事の現場監督者）の名前等の必要事項は埋入する前に予め記憶させて埋入しても良いし、あるいは埋め込んで固化させた後、記憶させても良い。
【００１４】
ＩＣタグへ記憶させる作業は、図２のＩＣタグリーダ／ライタを用いておこなう。即ち、記憶させる作業（書き込み）はリーダ／ライタのライタ側を用いて行う。即ち、リーダ／ライタから電波を発信してＩＣタグのアンテナ兼用コイルで受信させ、このコイルに電力を誘起させてＩＣチップのチップの送受信制御機能を作動させて、チップに必要事項の書き込みを行なう。
ＩＣタグリーダ／ライタは供試体に接触させる必要もなく、離れた位置で書き込みを行なうことが出来る。
【００１５】
供試体は６本造り、１日後工事現場から生コン製造工場に持ち帰り供試体の上端部に生コンを入れて平滑に仕上げる。
この生コンの乾燥した時点で脱枠した後、供試体６本を水槽にいれて水中養生を行なう。
生コン詰込後１週間目に３本の供試体を水槽中より取り出して第１回の強度試験を行なう。この時に、３本の供試体の製造履歴の調査判別を、再びＩＣタグリーダ／ライタを用いて行う。
まずＩＣタグリーダ／ライタを作動させて、リーダ／ライタから電波を発信してＩＣタグのアンテナ兼用コイルで受信させ、このコイルに電力を誘起させてＩＣチップのチップの送受信制御機能を作動させて、チップに記憶させた該供試体の経歴データを該カードのアンテナ機能からＩＣタグリーダ／ライタのアンテナに送信させる。
受信したデータはＩＣタグリーダ／ライタに接続した管理用ＰＣ（コンピュータ）でデータ解析して個々の供試体の経歴を判別することとなる。
強度試験のデータ、つまり試験年月日、発注者指定の強度、スランプ、空気量、工事名、供試体重量、および試験機にかけた供試体の強度等、試験に必要な事項は全て管理用ＰＣで一括管理する。
【００１６】
試験後の供試体の写真もデジタルカメラで撮影して管理用ＰＣに一括して記憶保存する。
【００１７】
次に水槽内の残り３本の供試体を生コン詰め込み後４週間目に取出して第２回の強度試験を行なうる。
第１回の場合と同じくＩＣタグリーダ／ライタで供試体の履歴を読み取って判別し、強度試験と写真撮影を行い、第１回の場合と同じ要領でデータを管理用ＰＣに記憶させる。
以上の工程で供試体の強度試験が終了する。
本発明の識別機構を使用すると、試験片の取り違えを完全に防止でき、故意の差替えは全く不可能である。従来は試験データを一旦黒板に書いて、これを所定の用紙に書き写す作業を行っていたために、黒板の字が消えたり、書き写す時に間違えて記載したりすることが往々にして起こっていたが、本発明ではデータと写真が一括してコンピュータで管理することが出来るので、書き間違い、写真の取り違え等の人為的なミスが完全になくなる。
【００１８】
【発明の効果】
本発明は下記の効果を有する。
（１）供試体の取り違えと故意の差替えを完全に防止することが出来、強度試験の信頼性を回復できる。
（２）試験データーを一括してコンピュータ管理することが出来、データーの書き間違い、写真の取り違え等の人為的なミスを完全に防止できる。
【図面の簡単な説明】
【図１】コンクリート供試体の断面図及び内部ＩＣチップの詳細図
【図１】
2005010128.tif 000003